(57)【特許請求の範囲】
【請求項１】
内部に電力ケーブル（１）および絶縁油（２）を保持する碍管（１１）と、
碍管（１１）の２つの端面のうちの電力ケーブル（１）を保持するケーブル保持端面に接する部分を有し、碍管（１１）と電力ケーブル（１）と一体となり絶縁油（２）を保持する碍管内絶縁油保持部材（１４）と、を備えた電力ケーブル終端接続装置であって、
碍管内絶縁油保持部材（１４）は、碍管（１１）のケーブル保持端面に接するフランジ部（１４ｂ２）と、このフランジ部（１４ｂ２）から碍管（１１）に沿って伸びる筒状部（１４ｂ１）とを有する油止めアダプタ（１４ｂ）と、
この油止めアダプタ（１４ｂ）の筒状部（１４ｂ１）内に配置されると共に、電力ケーブル（１）を内包するパイプ部（１４ａ１）と、このパイプ部（１４ａ１）外周に形成され、Ｏリング（２４ｃ）を介して油止めアダプタ（１４ｂ）の筒状部（１４ｂ１）の内面と向かい合う取り付け部（１４ａ２）とを有し、かつ油止め処理された状態で電力ケーブル（１）に取り付けられた油止め部材（１４ａ）とからなり、
油止めアダプタ（１４ｂ）の筒状部（１４ｂ１）の上端部で、Ｏリング（２４ｃ）と向かい合う面と反対側の外周面にネジ部を設け、この筒状部（１４ｂ１）のネジ部と螺合するネジ部を内周面に有する筒状の締め付け金具（２４ａ）を回し込み、油止めアダプタ（１４ｂ）と油止め部材（１４ａ）との間を油止めし、油止め部材（１４ａ）を油止めアダプタ（１４ｂ）に固定したことを特徴とする電力ケーブル終端接続装置。
【請求項２】
油止め部材（１４ａ）が、ストレスコーン（２２ａ）とは異なる取付け部材によって電力ケーブル（１）に取り付けられている、請求項１に記載の電力ケーブル終端接続装置。
【請求項３】
さらに、前記油止め部材（１４ａ）にかかるように、収縮チューブ又はテープを電力ケーブル（１）に取り付けている、請求項１又は２に記載の電力ケーブル終端接続装置。
【請求項４】
さらに、前記筒状の締め付け金具（２４ａ）を油止め部材（１４ａ）に固定したことを特徴とする、請求項１〜３いずれかに記載の電力ケーブル終端接続装置。
【請求項５】
さらに、フランジ部（１４ｂ２）の下面に固定される保護フランジ部、および、当該保護フランジ部から前記電力ケーブル（１）に沿って下方に伸びる管状部分を有するケーブル保護部材（１５）を備え、
ケーブル保護部材（１５）の管状部分の下端面が、碍管（１１）のケーブル保持端面から垂直下方向に０ｍｍ以上５０ｍｍ以下の範囲内に入ることを特徴とする請求項１〜４いずれかに記載の電力ケーブル終端接続装置。
【請求項６】
フランジ部（１４ｂ２）が、その上面で碍管（１１）のケーブル保持端面に接しており、かつ、支持碍子（２１ｄ）を介して架台（１３）に取り付けられた支持金具（１２）の上面に形成されたリング状の溝と嵌合した状態で、碍管（１１）のケーブル保持端面側端部外周に設けられた固定金具（２１ａ）によって、支持金具（１２）側に押さえつけられるようにして固定されている、請求項１〜５いずれかに記載の電力ケーブル終端接続装置。
【発明の詳細な説明】
【技術分野】
【０００１】
本発明は、電力ケーブルの終端、接続等に用いる電力ケーブル終端接続装置に関し、特に数十ｋV以上の高電圧用電力ケーブルを対象とする電力ケーブル終端接続装置に関する。
【背景技術】
【０００２】
従来、例えば、数十ｋV以上の高電圧用電力ケーブルの終端、接続等に用いる電力ケーブル終端接続装置は、電力ケーブルおよび絶縁油を内部に保持する碍管と、架台と、電力ケーブルおよび碍管を架台に取り付ける支持金具と、電力ケーブルにかかる応力を緩和するケーブル保護部材と、碍管内の絶縁油が漏れることを防止する油止め金具および引出し棒固定フランジとを備える。
【０００３】
図８は、電力ケーブルを地面に対して垂直に敷設する従来の電力ケーブル終端接続装置の一例を示す概念図である。図８において、ケーブル保護部材２１５および碍管１１は、電力ケーブル１が地面３０１に対して実質的に垂直になるように支持金具１２を用いて架台１３に取り付けられている。従来、電力ケーブル終端接続装置２０１のケーブル保護部材２１５は、図８に典型的に示すように、支持金具１２に対して碍管１１と反対側の方向に設けられている。ここで、電力ケーブル１は、ケーブル保護部材２１５から離れるにつれて地面３０１に略平行になるように引き出される。
【０００４】
【特許文献１】実開平６−７４０３６号公報
【発明の開示】
【発明が解決しようとする課題】
【０００５】
しかしながら、従来の電力ケーブル終端接続装置２０１では、ケーブル保護部材２１５が支持金具１２から大きく突き出ており、このケーブル保護部材２１５から引き出される電力ケーブル１に加わる曲げを許容範囲内に抑える必要があるため、電力ケーブル１を図８に示すように架台の下まで大きく伸ばさなければならない場合が生ずるという問題があった。その結果、特に数十ｋV以上の高電圧を対象とする場合、架台の下に電力ケーブル１を引き出し、該電力ケーブル１の曲げ半径を確保するための地下洞道３０２等が必要となり、電力ケーブル終端接続装置２０１の敷設工事が大規模になっていた。装置規模が大きくなると、それに伴い地下洞道３０２の高さも大きくする必要があり、電力ケーブル終端接続装置２０１の敷設工事は、より大規模になっていた。
【０００６】
本発明の目的は、支持金具からのケーブル保護部材の突出量を低減し、もって敷設工事の規模を縮小することが可能な電力ケーブル終端接続装置を提供することを目的とする。
【課題を解決するための手段】
【０００７】
本発明に係る第１の態様は、内部に電力ケーブル（１）および絶縁油（２）を保持する碍管（１１）と、碍管（１１）の２つの端面のうちの電力ケーブル（１）を保持するケーブル保持端面に接する部分を有し、碍管（１１）と電力ケーブル（１）と一体となり絶縁油（２）を保持する碍管内絶縁油保持部材（１４）と、を備えた電力ケーブル終端接続装置であって、碍管内絶縁油保持部材（１４）は、碍管（１１）のケーブル保持端面に接するフランジ部（１４ｂ２）と、このフランジ部（１４ｂ２）から碍管（１１）に沿って伸びる筒状部（１４ｂ１）とを有する油止めアダプタ（１４ｂ）と、この油止めアダプタ（１４ｂ）の筒状部（１４ｂ１）内に配置されると共に、電力ケーブル（１）を内包するパイプ部（１４ａ１）と、このパイプ部（１４ａ１）外周に形成され、Ｏリング（２４ｃ）を介して油止めアダプタ（１４ｂ）の筒状部（１４ｂ１）の内面と向かい合う取り付け部（１４ａ２）とを有し、かつ油止め処理された状態で電力ケーブル（１）に取り付けられた油止め部材（１４ａ）とからなり、油止めアダプタ（１４ｂ）の筒状部（１４ｂ１）の上端部で、Ｏリング（２４ｃ）と向かいあう面と反対側の外周面にネジ部を設け、この筒状部（１４ｂ１）のネジ部と螺合するネジ部を内周面に有する筒状の締め付け金具（２４ａ）を回し込み、油止めアダプタ（１４ｂ）と油止め部材（１４ａ）との間を油止めし、油止め部材（１４ａ）を油止めアダプタ（１４ｂ）に固定したことを特徴とする電力ケーブル終端接続装置である。
【０００８】
本発明に係る第２の態様は、油止め部材（１４ａ）が、ストレスコーン（２２ａ）とは異なる取付け部材によって電力ケーブル（１）に取り付けられている、電力ケーブル終端接続装置である。
【０００９】
本発明に係る第３の態様は、油止め部材（１４ａ）にかかるように、収縮チューブ又はテープを電力ケーブル（１）に取り付けている電力ケーブル終端接続装置である。
【００１０】
本発明に係る第４の態様は、さらに、前記筒状の締め付け金具（２４ａ）を油止め部材（１４ａ）に固定したことを特徴とする、電力ケーブル終端接続装置である。
本発明に係る第５の態様は、さらに、フランジ部（１４ｂ２）の下面に固定される保護フランジ部、および、当該保護フランジ部から前記電力ケーブル（１）に沿って下方に伸びる管状部分を有するケーブル保護部材（１５）を備え、ケーブル保護部材（１５）の管状部分の下端面が、碍管（１１）のケーブル保持端面から垂直下方向０ｍｍ以上５０ｍｍ以下の範囲内に入ることを特徴とする電力ケーブル終端接続装置である。
本発明に係る第６の態様は、フランジ部（１４ｂ２）が、その上面で碍管（１１）のケーブル保持端面に接しており、かつ、支持碍子（２１ｄ）を介して架台（１３）に取り付けられた支持金具（１２）の上面に形成されたリング状の溝と嵌合した状態で、碍管（１１）のケーブル保持端面側端部外周に設けられた固定金具（２１ａ）によって、支持金具（１２）側に押さえつけられるようにして固定されている電力ケーブル終端接続装置である。
【発明の効果】
【００１３】
本発明によれば、碍管内絶縁油保持部材を碍管内に設けて絶縁を確保する構成としたため、敷設工事の規模を縮小することが可能な電力ケーブル終端接続装置を実現できる。
【発明を実施するための最良の形態】
【００１４】
以下、本発明の実施の形態について、図面に基づいて詳細に説明する。図１から図３は本発明の一実施形態を示したものである。
図１は、本発明の電力ケーブル終端接続装置の、電力ケーブル１の中心軸の左半分側の断面構造を示す模式図である。該電力ケーブル１は、一端に防食層１ｄ、半導電層１ｃ、絶縁体部１ｂおよび導体１ａが露出して設けられ、これらが碍管１１内に収容して設けられる。図１において、電力ケーブル終端接続装置１０１は、内部に電力ケーブル１および絶縁油２を収容して保持する碍管１１と、架台１３と、碍管１１と電力ケーブル１との間に設けられ碍管１１と電力ケーブル１と一体となり絶縁油２を保持する碍管内絶縁油保持部材１４と、碍管１１の一方の端部側に配置されて碍管より引き出される電力ケーブル１が挿通されるケーブル保護部材１５と、碍管１１の一方の端部に取り付けられ該碍管１１を支持して架台１３に支持碍子２１ｄを介して取り付けられる支持金具１２と、電力ケーブル１１と外部の機器との電気的な接続を確保する導体引き出し棒１６と、前記導体引き出し棒１６を碍管１１の他方の端部に固定する固定フランジ１７とを備える。
【００１５】
本実施の形態では、碍管内絶縁油保持部材１４は、図２に拡大して示すように、電力ケーブル１に取り付けられる油止め部材１４ａと、油止め部材１４ａを支持金具１２に取り付ける油止めアダプタ１４ｂとからなる。油止め部材１４ａは、電力ケーブル１を内包する油止めパイプ部１４ａ１と、この油止めパイプ１４ａ１の外周に形成され油止めアダプタ１４ｂと取り付けられる取り付け部１４ａ２とを有する。油止めアダプタ１４ｂは、油止め部材１４ａを内包する筒状部１４ｂ１と、該筒状部１４ｂ１の一方の端部側に碍管１１の端面と接するフランジ部分とを有する。前記筒状部１４ｂ１の他方の端部は、内周面に前記取り付け部１４ａ２の外側の面が接する形状に設けられており、外周面に締め付け金具２４ａと螺合するネジ部が設けられている。以下、油止めアダプタ１４ｂの碍管１１の端面と接するフランジ部分をアダプタフランジ部１４ｂ2といい、アダプタフランジ部１４ｂ2と接する碍管１１の端面をケーブル保持端面という。なお、アダプタフランジ部１４ｂ２は支持金具１２に取り付けられる。
【００１６】
油止め部材１４ａと油止めアダプタ１４ｂとは締付け金具２４ａにより取り付けられ、Ｏリング２４ｃを介して密閉性が確保される。締付け金具２４ａは筒状に形成され、内周面には前記油止めアダプタ１４ｂのネジ部と螺合するネジ部が設けられており、油止めアダプタ１４ｂは、図２に示すように外周上に形成されたネジが、管状の締め付け金具２４ａの内側の面に形成されたネジとかみ合い、締め付け金具２４ａを回し込むことによって油止めアダプタ１４ｂがＯリング２４ｃ側に締め付けられるようになっている。締め付け金具２４ａは、ネジ２４ｂによって油止め部材１４ａの取り付け部に固定される。
【００１７】
碍管内絶縁油保持部材１４の上端側の電力ケーブル１の絶縁体部１ｂには、電界を緩和するためのストレスコーン２２ａが設けられ、ストレスコーン２２ａと碍管内絶縁油保持部材１４およびその間の半導電層１ｃには、油止め処理が施されている。ストレスコーン２２ａは、例えば、ゴム等からなる。また、油止め処理として、例えば、絶縁性および防水性を有する収縮チューブ、テープ等を、図２に示すように、ストレスコーン２２ａと碍管内絶縁油保持部材１４およびその間の半導電層１ｃの外周に設ける。なお、以上では、組み立ての容易性の観点から碍管内絶縁油保持部材１４が油止め部材１４ａと油止めアダプタ１４ｂの２つの部材からなる構成について説明したが、本発明は、碍管内絶縁油保持部材１４が一体として形成されるのを排除するものではない。
【００１８】
ケーブル保護部材１５は、油止めアダプタ１４ｂのアダプタフランジ部に接続するための保護フランジ部と、管状の部分とを有する。ケーブル保護部材１５の管状の部分の内部には、電力ケーブル１の防食層１ｄが、例えば絶縁性および防食性を有するテープ等を用いて固定され、電力ケーブル１に加えられる応力が緩和される。以下、テープ等を用いてケーブル保護部材１５を電力ケーブル１に固定する処理を防食処理という。ここで、線間電圧が１５４ｋV以上の電力ケーブルに対しては、ケーブル保護部材１５の管状の部分の長さは、図１に示すように、管状の部分の下端面が支持金具１２の下端面から０ｍｍ〜２００ｍｍ、より好ましくは０ｍｍ〜５０ｍｍに入る長さであることが、組み立ての容易性、支持金具１２の下端面からの突出量の抑制等の観点から好ましい。ケーブル保護部材１５の保護フランジ部は、油止めアダプタ１４ｂのアダプタフランジ部に、ネジ２５ａとOリング２５ｂを用いて取り付けられている。
【００１９】
支持金具１２は、中央に電力ケーブル１が挿通される孔が形成され、例えば支持碍子２１ｄを介して架台１３に取り付けられる。ただし、支持金具１２と架台１３との間が絶縁されれば支持碍子２１ｄの代わりに何を用いてもよい。支持金具１２の上面には、油止めアダプタ１４ｂのアダプタフランジ部が固定される。ここで、アダプタフランジ部１４ｂ2を良好に支持金具１２に位置決め固定できるように、図１に示すように、支持金具１２の孔を形成している側壁の上部の一部を切り欠いて、アダプタフランジ部１４ｂ2と嵌合するリング状の溝を設けてもよい。
【００２０】
油止めアダプタ１４ｂのアダプタフランジ部１４ｂ2は、碍管１１と碍管１１の一方の端部外周にあらかじめ一体に設けられた固定金具２１ａとネジ２１ｂによって、アダプタフランジ部１４ｂ2を支持金具１２側に押さえつけるようにして固定される。ここで、碍管１１と固定金具２１ａとは密着し、固定金具２１ａは、Ｏリング２１ｃを用いて密閉性が確保できるようにネジ２１ｂによって油止めアダプタ１４ｂに固定される。また、碍管１１のケーブル保持端面は、支持金具１２の上面に密着するようになっている。
【００２１】
導体引出し棒１６は、導体１ａに接続され、図１に示すように、引出し棒固定フランジ１７を用いて碍管１１のケーブル保持端面と対向する端面に固定され、引出し棒固定フランジ１７は、碍管１１の他方の端部外周にあらかじめ一体に設けられた取付金具に固定される。
【００２２】
以下、図３を参照して、本発明の電力ケーブル終端接続装置１０１の組み立てについて説明する。
まず、図３（ａ）に示すように、所定の長さに導体１ａ、絶縁体１ｂ、半導電層１ｃおよび防食層１ｄを露出した電力ケーブル１を架台１３に対して所定位置に配置する。このように電力ケーブルの各部を露出する処理をケーブルの口出し処理という。
【００２３】
次に、図３（ｂ）に示すように、電力ケーブル１の防食層１ｄの外周にケーブル保護部材１５を配置し、半導電層１ｃの外周に油止め部材１４ａを図示しない取付部材を用いて電力ケーブル１に取り付け、半導電層１ｃと絶縁体１ｂとの境界に配置してストレスコーン２２ａを取り付け、テープ２２ｂを油止めパイプ部１４ａ１の上端部およびストレスコーン２２ａの下部にかかるように半導電層１ｃに巻き付けて油止め処理を施し、電力ケーブル１の導体１ａに導体引出し棒１６をかしめにより取り付ける。なお、ケーブル保護部材１５、油止め部材１４ａおよびストレスコーン２２ａの各部材は電力ケーブル１に挿通して設けられる。
【００２４】
次に、図３（ｃ）に示すように、架台１３に支持碍子２１ｄを介して支持金具１２を取り付け、油止めアダプタ１４ｂを、筒状部１４ｂ１の内側の面が油止め部材１４ａの取り付け部１４ａ2の外周面と接するように挿入して、アダプタフランジ部１４ｂ2を支持金具１２の上面に形成されたリング状の溝に嵌合して配置する。そして前記筒状部１４ｂ１の外周面に設けられたネジ部に締め付け金具２４ａを螺合し、前記筒状部１４ｂ１を取り付け部１４ａ2に締め付け、ネジ２４ｂを用いて締め付け金具２４ａを前記取り付け部１４ａ2に取り付け、油止め部材１４ａと油止めアダプタ１４ｂとを固定する。このとき、油止め部材１４ａと油止めアダプタ１４ｂとは、取り付け部１４ａ2の外周面側にあらかじめ設けられたＯリング２４ｃによって密封性が確保される。なお、支持金具１２、油止めアダプタ１４ｂおよび締め付け金具２４ａの各部材も電力ケーブル１に挿通して設けられる。
【００２５】
次に、図３（ｄ）に示すように、油止めアダプタ１４ｂのアダプタフランジ部１４ｂ2の上面に設けられた溝にＯリング２１ｃを取り付け、電力ケーブル１を内包するように碍管１１をアダプタフランジ部１４ｂ2の上面に設ける。このとき、Ｏリング２１ｃは固定金具２１ｂに密着するように配置されるが、碍管１１の端面に密着するように配置して設けてもよい。そして、ネジ２１ｂを用いて固定金具２１ａを支持金具１２に引き付けて取り付け、アダプタフランジ部１４ｂ2を挟み込んで碍管１１と取付金具１２とを固定する。また、ネジ２５ａを用いてケーブル保護部材１５のフランジ部をアダプタフランジ部１４ｂ2の下面にＯリング２５ｂを介して取り付ける。そしてケーブル保護部材１５の管状の部分と電力ケーブル１に防食テープ２５ｃを巻き付け防食処理を施す。
【００２６】
次に、図３（ｅ）に示すように、碍管１１内に絶縁油を注油し、取付金具２３ａとネジ２３ｂを用いて引出し棒固定フランジ１７を導体引出し棒１６の周囲に配置し、碍管１１の上端部に固定する。
【００２７】
図４は、本発明の電力ケーブル終端接続装置と従来の電力ケーブル終端接続装置との差異について説明するための図である。図４（ａ）に示す従来の電力ケーブル終端接続装置２０１は、油止め部材２１４とケーブル保護部材２１５が支持金具１２の下方に伸び、油止め部材２１４とケーブル保護部材２１５との間の空間に絶縁油が充填される。そして、油止め部材２１４とケーブル保護部材２１５との下端には、防食テープ等を用いて油止め処理が施される。
【００２８】
これに対して、図４（ｂ）に示す本発明の電力ケーブル終端接続装置１０１は、碍管内絶縁油保持部材１４を碍管１１内に設けて絶縁を確保し、ケーブル保護部材１５を短くできる構造となっているため、図４（ａ）に示す従来の電力ケーブル終端接続装置よりも、油止め部材２１４とケーブル保護部材２１５の支持金具１２の下方への突出量が、図示するように長さL分、大幅に短縮された。これに伴い、電力ケーブル終端接続装置に充填される絶縁油２０２の油量も削減できた。
【００２９】
図５は、本発明の電力ケーブル終端接続装置と従来の電力ケーブル終端接続装置を敷設したときの差異について説明するための図である。図５に示すように、本発明の電力ケーブル終端接続装置１０１は、従来の電力ケーブル終端接続装置２０１よりも、電力ケーブルの支持金具１２の下方への伸びを短縮することができるため、敷設工事の際の掘削を小規模に抑えることができる。具体的には、電力ケーブル１を安全に曲げるためには、電力ケーブルの直径の略１０倍以上の曲率半径となるように電力ケーブル１を曲げる必要があり、図５に示すように、従来の電力ケーブル終端接続装置２０１の敷設に地面３０１を掘削して地下洞道３０２を設ける必要があった場合でも、本発明の電力ケーブル終端接続装置１０１の敷設には、浅い地上ピッチ３０３で抑えることができることとなる。
【００３０】
図６は、本発明の電力ケーブル終端接続装置１０１からケーブル保護部材１５を除いた、他の態様の電力ケーブル終端接続装置１０２の組み立てについて説明図である。まず、図６（ａ）に示すように、上記と同様に口出し処理を行う。次に、図６（ｂ）に示すように、半導電層１ｃの外周に油止め部材１４ａを図示しない取付部材を用いて電力ケーブル１に取り付け、半導電層１ｃと絶縁体１ｂとの境界に配置してストレスコーン２２ａを取り付け、テープ２２ｂを油止めパイプ部１４ａ１の上端部およびストレスコーン２２ａの下部にかかるように半導電層１ｃに巻き付けて油止め処理を施し、電力ケーブル１の導体１ａに導体引出し棒１６をかしめにより取り付ける。そして油止めパイプ部１４ａ１を電力ケーブル１に防食テープ２５ｃを巻き付け防食処理を施す。
【００３１】
次に、図６（ｃ）に示すように、架台１３に支持碍子２１ｄを介して支持金具１２を取り付け、油止めアダプタ１４ｂを、筒状部１４ｂ１の内側の面が油止め部材１４ａの取り付け部１４ａ2の外周面と接するように挿入して、アダプタフランジ部１４ｂ2を支持金具１２の上面に形成されたリング状の溝に嵌合して配置する。そして前記筒状部１４ｂ１の外周面に設けられたネジ部に締め付け金具２４ａを螺合し、前記筒状部１４ｂ１を取り付け部１４ａ2に締め付け、ネジ２４ｂを用いて締め付け金具２４ａを前記取り付け部１４ａ2に取り付け、油止め部材１４ａと油止めアダプタ１４ｂとを固定する。このとき、油止め部材１４ａと油止めアダプタ１４ｂとは、取り付け部１４ａ2の外周面側にあらかじめ設けられたＯリング２４ｃによって密封性が確保される。なお、支持金具１２、油止めアダプタ１４ｂおよび締め付け金具２４ａの各部材も電力ケーブル１に挿通して設けられる。
【００３２】
次に、図６（ｄ）に示すように、油止めアダプタ１４ｂのアダプタフランジ部１４ｂ2の上面に設けられた溝にＯリング２１ｃを取り付け、電力ケーブル１を内包するように碍管１１をアダプタフランジ部１４ｂ2の上面に設ける。このとき、Ｏリング２１ｃは固定金具２１ｂに密着するように配置されるが、碍管１１の端面に密着するように配置して設けてもよい。そして、ネジ２１ｂを用いて固定金具２１ａを支持金具１２に引き付けて取り付け、アダプタフランジ部１４ｂ2を挟み込んで碍管１１と取付金具１２とを固定する。
【００３３】
次に、図６（ｅ）に示すように、碍管１１内に絶縁油を注油し、取付金具２３ａとネジ２３ｂを用いて引出し棒固定フランジ１７を導体引出し棒１６の周囲に配置し、碍管１１の上端部に固定する。
【００３４】
なお、電力ケーブル終端接続装置１０１、１０２の組み立ての順序は、本発明の実施の形態で説明したものに限定されるものではない。また、上記では、碍管内絶縁油保持部材１４内に絶縁部材として絶縁油が収容されるものとして説明してきたが、絶縁部材は必ずしも絶縁油に限られるものではなく、絶縁性のガスその他の媒体を用いるのでもよい。
【産業上の利用可能性】
【００３５】
本発明に係る電力ケーブル終端接続装置は、支持金具からのケーブル保護部材の突出量を低減して敷設工事の規模を縮小することができるという効果を有し、電力ケーブルの終端、接続等に用いる電力ケーブル終端接続装置等として有用である。
【図面の簡単な説明】
【００３６】
【図１】図１は、本発明の電力ケーブル終端接続装置１０１の、電力ケーブルの中心軸の左半分側の断面構造を示す模式図である。
【図２】図２は、図１に示す楕円部分を拡大して示す断面図である。
【図３】図３は、本発明の電力ケーブル終端接続装置１０１の組み立てについて説明するための図である。
【図４】図４は、本発明の電力ケーブル終端接続装置１０１と従来の電力ケーブル終端接続装置との差異について説明するための図である。
【図５】図５は、本発明の電力ケーブル終端接続装置と従来の電力ケーブル終端接続装置を敷設したときの差異について説明するための図である。
【図６】図６は、本発明の電力ケーブル終端接続装置１０２の組み立てについて説明するための図である。
【図７】図７は、本発明の電力ケーブル終端接続装置１０２と従来の電力ケーブル終端接続装置との差異について説明するための図である。
【図８】図８は、従来の電力ケーブル終端接続装置の一例を示す概念図である。
【符号の説明】
【００３７】
１  電力ケーブル
１ａ  導体
１ｂ  絶縁体
１ｃ  半導電層
１ｄ  防食層
２、２０２  絶縁油
１１  碍管
１２  支持金具
１３  架台
１４  碍管内絶縁油保持部材
１４ａ  油止め部材
１４ｂ  油止めアダプタ
１５  ケーブル保護部材
１６  導体引出し棒
１７  引出し棒固定フランジ
２１ａ  固定金具
２１ｂ、２３ｂ、２４ｂ、２５ａ  ネジ
２１ｃ、２４ｃ、２５ｂ  Ｏリング
２１ｄ  支持碍子
２２ａ  ストレスコーン
２２ｂ  取り付けテープ
２３ａ  取付金具
２４ａ  締め付け金具
２５ｃ  防食テープ
１０１、２０１  電力ケーブル終端接続装置
２０２  絶縁油
２１５  ケーブル保護部材
３０１  地面
３０２  地下洞道
３０３  地上ピッチ
【図１】
0004762700.tif 000002
【図２】
0004762700.tif 000003
【図３】
0004762700.tif 000004
【図４】
0004762700.tif 000005
【図５】
0004762700.tif 000006
【図６】
0004762700.tif 000007
【図７】
0004762700.tif 000008
【図８】
0004762700.tif 000009